(57)【要約】【課題】構造が簡単で、さらに興趣性や意外性が高いアクションペンを提供する。【解決手段】ノック部１３の、ホームポジションＰ１と押下位置Ｐ２との間での昇降に対応して、ペン本体１１から芯１２を出し入れするとともに駆動伝達部２０を介してキャラクタ４０にアクションを発生させるアクションペン１において、キャラクタ４０は、胴部４３と、胴部４３によってそれぞれ個別に前後方向に揺動可能に支持された第１脚部４１と第２脚部４２とを有し、駆動伝達部２０は、ノック部１３に連結されてノック部１３の下降・上昇により下降・上昇する昇降部材２３と、昇降部材２３と第１脚部４１との間に係合されて昇降部材２３の昇降動作を第１脚部４１の前後方向の揺動動作に変換する第１変換部材３１と、昇降部材２３と第２脚部４２との間に係合されて昇降部材２３の昇降動作を第２脚部４２の前後方向の揺動動作に変換する第２変換部材３２とを有する。【選択図】図１
2014180820.tif 000002
【特許請求の範囲】
【請求項１】
筒状のペン本体を有する筆記部と前記ペン本体の上側の基端部に配設された駆動伝達部と前記駆動伝達部の上方に配設されたキャラクタとを備え、前記ペン本体の側面に配設されたノック部の、ホームポジションと押下位置との間での昇降に対応して、前記ペン本体の下側の先端部から芯を出し入れするとともに前記駆動伝達部を介して前記キャラクタにアクションを発生させるアクションペンにおいて、
前記キャラクタは、
胴部と、
前記胴部によってそれぞれ個別に前後方向に揺動可能に支持された第１脚部と第２脚部と、を有し、
前記駆動伝達部は、
前記ノック部に連結されて前記ノック部の下降・上昇により下降・上昇する昇降部材と、
前記昇降部材と前記第１脚部とに係合されて前記昇降部材の昇降動作を前記第１脚部の前後方向の揺動動作に変換する第１変換部材と、
前記昇降部材と前記第２脚部とに係合されて前記昇降部材の昇降動作を前記第２脚部の前後方向の揺動動作に変換する第２変換部材と、を有する、
ことを特徴とするアクションペン。
【請求項２】
前記第１変換部材と前記第２変換部材とは、前記昇降部材の昇降に伴って、前記第１脚部と前記第２脚部とのうちの一方を前向きに、他方を後向きに揺動させる、
ことを特徴とする請求項１に記載のアクションペン。
【請求項３】
前記駆動伝達部は、
前記昇降部材と前記第１変換部材と前記第２変換部材とを収納するハウジングと、
前記ハウジングによって左右方向に支持されて前記第１変換部材と前記第２変換部材とを揺動自在に支持する下揺動軸と、を有し、
前記第１変換部材は、
前記下揺動軸の前側で前記昇降部材に係合されるとともに前記昇降部材の下降・上昇に対応して下向き・上向きに揺動する第１前側連結部と、前記下揺動軸の上側で前記第１脚部に係合されるとともに前記第１前側連結部の下向き・上向きの揺動に対応して前向き・後向きに揺動する第１上側連結部と、を有し、
前記第２変換部材は、
前記下揺動軸の後側で前記昇降部材に係合されるとともに前記昇降部材の下降・上昇に対応して下向き・上向きに揺動する第２後側連結部と、前記下揺動軸の上側で前記第２脚部に係合されるとともに前記第２後側連結部の下向き・上向きの揺動に対応して後向き・前向きに揺動する第２上側連結部と、を有する、
ことを特徴とする請求項２に記載のアクションペン。
【請求項４】
前記ノック部の前記ホームポジションに対応して、前記第１脚部は揺動範囲中の最後端に配置され、第２脚部は前記揺動範囲中の最前端に配置され、
前記ノック部の前記押下位置に対応して、前記第１脚部は前記揺動範囲中の最前端に配置され、第２脚部は前記揺動範囲中の最後端に配置される、
ことを特徴とする請求項３に記載のアクションペン。
【請求項５】
前記胴部は、前記第１脚部と前記第２脚部とを揺動自在に支持する上揺動軸を有し、
前記上揺動軸は、前記第１脚部と前記第２脚部とによって支持されるとともに、前記胴部を支持する、
ことを特徴とする請求項１ないし４のいずれか１項に記載のアクションペン。
【請求項６】
前記駆動伝達部は、前記昇降部材を上方に向けて付勢する付勢部材を有する、
ことを特徴とする請求項１ないし５のいずれか１項に記載のアクションペン。
【発明の詳細な説明】
【技術分野】
【０００１】
本発明は、芯を出し入れするノック部の押下・復帰動作に対応して、アクション部でアクションを発生させるアクションペンに関する。
【背景技術】
【０００２】
サイドノック式の筆記具において、ペン本体の基端部にアクション部を設けたアクションペンが知られている。
【０００３】
アクション部は、例えば、キャラクタによって構成されていて、芯を出し入れするためのノック部（操作レバー）の押下・復帰動作に対応して、キャラクタやその一部が興趣あるアクションをする。
【０００４】
例えば、特許文献１のものは、ノック部の押下・復帰動作に連動して、キャラクタが回転する。
【０００５】
このものは、ペン本体の内部に長尺の回転軸が配置されていて、この回転軸におけるペン本体の基端部から突出する部分にキャラクタが取り付けられている。ノック部には、内周面に螺旋溝が形成されたスライド部材が係合されていて、この螺旋溝には、回転軸から突出された凸部が螺合している。ノック部を押し下げると、芯が出るとともに、スライド部材が押し下げられ、その螺旋溝に凸部が螺合されている回転軸が回転する。この回転軸の回転に伴って、キャラクタが回転するようになっている。
【先行技術文献】
【特許文献】
【０００６】
【特許文献１】特開２００３−１９３６７号公報
【発明の概要】
【発明が解決しようとする課題】
【０００７】
しかしながら、特許文献１によると、ノック部の押下動作に連動して、キャラクタが回転するものの、キャラクタ自体の形状が変化したり、姿勢が変化したりするものではないので、興趣性や意外性に欠けるという問題があった。
【０００８】
そこで、本発明は、構造が簡単で、しかもキャラクタが興趣性や意外性の高い動きをするアクションペンを提供することを目的とするものである。
【課題を解決するための手段】
【０００９】
請求項１に係る発明は、筒状のペン本体を有する筆記部と前記ペン本体の上側の基端部に配設された駆動伝達部と前記駆動伝達部の上方に配設されたキャラクタとを備え、前記ペン本体の側面に配設されたノック部の、ホームポジションと押下位置との間での昇降に対応して、前記ペン本体の下側の先端部から芯を出し入れするとともに前記駆動伝達部を介して前記キャラクタにアクションを発生させるアクションペンにおいて、前記キャラクタは、胴部と、前記胴部によってそれぞれ個別に前後方向に揺動可能に支持された第１脚部と第２脚部と、を有し、前記駆動伝達部は、前記ノック部に連結されて前記ノック部の下降・上昇により下降・上昇する昇降部材と、前記昇降部材と前記第１脚部とに係合されて前記昇降部材の昇降動作を前記第１脚部の前後方向の揺動動作に変換する第１変換部材と、前記昇降部材と前記第２脚部とに係合されて前記昇降部材の昇降動作を前記第２脚部の前後方向の揺動動作に変換する第２変換部材と、を有する、ことを特徴とする。
【００１０】
請求項２に係る発明は、請求項１に係るアクションペンにおいて、前記第１変換部材と前記第２変換部材とは、前記昇降部材の昇降に伴って、前記第１脚部と前記第２脚部とのうちの一方を前向きに、他方を後向きに揺動させる、ことを特徴とする。
【００１１】
請求項３に係る発明は、請求項２に係るアクションペンにおいて、前記駆動伝達部は、前記昇降部材と前記第１変換部材と前記第２変換部材とを収納するハウジングと、前記ハウジングによって左右方向に支持されて前記第１変換部材と前記第２変換部材とを揺動自在に支持する下揺動軸と、を有し、前記第１変換部材は、前記下揺動軸の前側で前記昇降部材に係合されるとともに前記昇降部材の下降・上昇に対応して下向き・上向きに揺動する第１前側連結部と、前記下揺動軸の上側で前記第１脚部に係合されるとともに前記第１前側連結部の下向き・上向きの揺動に対応して前向き・後向きに揺動する第１上側連結部と、を有し、前記第２変換部材は、前記下揺動軸の後側で前記昇降部材に係合されるとともに前記昇降部材の下降・上昇に対応して下向き・上向きに揺動する第２後側連結部と、前記下揺動軸の上側で前記第２脚部に係合されるとともに前記第２後側連結部の下向き・上向きの揺動に対応して後向き・前向きに揺動する第２上側連結部と、を有する、ことを特徴とする。
【００１２】
請求項４に係る発明は、請求項３に係るアクションペンにおいて、前記ノック部の前記ホームポジションに対応して、前記第１脚部は揺動範囲中の最後端に配置され、第２脚部は前記揺動範囲中の最前端に配置され、前記ノック部の前記押下位置に対応して、前記第１脚部は前記揺動範囲中の最前端に配置され、第２脚部は前記揺動範囲中の最後端に配置される、ことを特徴とする。
【００１３】
請求項５に係る発明は、請求項１ないし４のいずれか１項に係るアクションペンにおいて、前記胴部は、前記第１脚部と前記第２脚部とを揺動自在に支持する上揺動軸を有し、
【００１４】
前記上揺動軸は、前記第１脚部と前記第２脚部とによって支持されるとともに、前記胴部を支持する、ことを特徴とする。
【００１５】
請求項６に係る発明は、請求項１ないし５のいずれか１項に係るアクションペンにおいて、前記駆動伝達部は、前記昇降部材を上方に向けて付勢する付勢部材を有する、ことを特徴とする。
【発明の効果】
【００１６】
請求項１の発明によれば、使用者によるノック部の昇降に対応して、昇降部材、第１変換部材、第２変換部材を介して、第１脚部、第２脚部が前後方向に揺動されて歩行動作を行う。すなわち、簡単な構成でありながら、使用者にとって、ノック部の上下方向の昇降からは連想し難い、第１脚部、第２脚部の前後方向の歩行動作を実現できるので、趣向性、意外性の高いものとなる。
【００１７】
請求項２の発明によれば、昇降部材の昇降に伴って、第１脚部（例えば、左脚部）と第２脚部（例えば、右脚部）のうちの一方を前向きに、また他方を後ろ向きに揺動させることができるので、実際の人の歩行により近い歩行動作をさせることができる。
【００１８】
請求項３の発明によれば、ノック部の昇降を第１脚部、第２脚部の前後方向の揺動に変換するメカニズムである昇降部材と第１変換部材と第２変換部材とがハウジングに収納されていて、使用者はこれを外部から視認することができないため、一層、興趣性、意外性を増す。
【００１９】
また、ノック部の昇降に伴う昇降部材の昇降を、簡単な構成の第１変換部材と第２変換部材の揺動により、第１脚部、第２脚部の反対方向の揺動として伝達することができる。
【００２０】
さらに、第１変換部材と第２変換部材とは、それぞれの第１前側連結部と第２後側連結部とが下揺動軸に対して前後の反対方向に配置されているため、例えば、第１変換部材と第２変換部材のうちの一方の左右方向を反転して配置することにより、同一の部材で構成することが可能である。このため、別構成である場合と比較して、部品点数を少なくすることができる。
【００２１】
請求項４の発明によれば、ノック部のホームポジションから押下位置への下降により、第１脚部は最後端から最前端に揺動するとともに第２脚部は最前端から最後端に揺動し、また、ノック部の押下位置からホームポジションへの上昇により、第１脚部は最前端から最後端に揺動するとともに第２脚部は最後端から最前端に揺動する。すなわち、キャラクタは、使用者によるノック部の下降により１歩、歩を進め、ノック部の上昇により次の１歩を進める。
【００２２】
請求項５の発明によれば、上揺動軸は、配設位置が固定されているのではなく、第１脚部と第２脚部とによって支持されているため、上下方向に移動することが可能である。このため、例えば、人の実際の歩行時に上半身が上下動する動作に近い歩行動作を実現することができる。また、胴部は、上揺動軸によって支持されているので、前傾姿勢や後傾姿勢を取ることが可能となる。これにより、さらに実際の歩行動作に近づけることが可能である。
【００２３】
請求項６の発明によれば、ノック部に連結された昇降部材が上方に向けて付勢されているので、使用者は、指に力を入れて付勢部材の付勢力に抗してノック部を下降させ、また力を抜いてノック部を離すことでノック部を上昇させることができる。このように、使用者が、力を入れたり抜いたりする動作にリズムを合わせてキャラクタの歩行が行われるので、使用者は自身が歩行させているということを強く実感するため、興趣性が高い。
【図面の簡単な説明】
【００２４】
【図１】（Ａ）〜（Ｃ）はアクションペン１を説明する図であり、（Ａ）は正面図、（Ｂ）は（Ａ）中のＸ−Ｘ線矢視図、（Ｃ）は（Ａ）中のＹ−Ｙ線矢視図である。
【図２】アクションペン１の右側面図である。
【図３】アクションペン１を正面側の右斜め上方から見た斜視図である。
【図４】駆動伝達部２０及びキャラクタ４０の分解斜視図である。
【発明を実施するための形態】
【００２５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２６】
図１〜図４を参照して本発明を適用した実施形態１に係るアクションペン１について説明する。
このうち、図１（Ａ）〜（Ｃ）はアクションペン１を説明する図であり、（Ａ）は正面図、（Ｂ）は（Ａ）中のＸ−Ｘ線矢視図、（Ｃ）は（Ａ）中のＹ−Ｙ線矢視図である。また、図２はアクションペン１の右側面図である。また、図３アクションペン１を正面側の右斜め上方から見た斜視図である。また、図４は、駆動伝達部２０及びキャラクタ４０の分解斜視図である。
【００２７】
なお、以下の説明では、図１（Ａ），（Ｃ）、及び図４の上部に矢印で示す上下左右前後が、アクションペン１の上下左右前後に対応するものとして説明する。また、第１脚部４１が左脚部、第２脚部４２が右脚部であるものとして説明するが、これは、逆に、第１脚部が右脚部、第２脚部が左脚部であってもいいのはもちろんである。
【００２８】
アクションペン１は、軸心Ｃに沿って上下方向に長い筆記部１０と、この筆記部１０の基端部（上端部）に配設された駆動伝達部２０と、駆動伝達部２０の上方に歩行姿勢で配設されたキャラクタ４０とを備えて構成されている。
【００２９】
筆記部１０は、図１に示すように、上下に延びる筒状のペン本体１１と、ペン本体１１の内側に収納されて筆記に供される芯１２と、芯１２を出し入れするために使用者が指で操作するノック部（操作レバー）１３と、ノック部１３の動作に連動して芯１２を出し入れする回転芯出し機構１４と、を有している。
【００３０】
ペン本体１１は、上下方向に延びる筒状（円筒状）に形成されており、下端（先端）には下キャップ１５が螺合されている。下キャップ１５の中心には、芯１２の下端側がスライドして出入り可能な透孔１５ａが形成されていて、芯１２は、その下端を、この透孔１５ａの下端から出入りさせる。また、芯１２の下端側には凸部１２ａが形成されていて、芯１２は、この凸部１２ａと下キャップ１５との間に介装された圧縮ばね１６によって上方に付勢されている。芯１２の上端には、後述する回転芯出し機構１４の回転体１４ｂが係合されている。
【００３１】
ペン本体１１の内側の上端部（基端部）には、ほぼ円筒状の筒状部材１７が昇降可能に配設されている。筒状部材１７は、上半部１７ａが上向きに開口する円筒状に形成され、下半部１７ｂは下向きに開口する円筒状に形成されている。上半部１７ａには後述する、駆動伝達部２０の昇降部材２３が嵌合されている。筒状部材１７の下半部１７ｂには、後述する回転芯出し機構１４の昇降体１４ａが下方から挿入されている。
【００３２】
ノック部１３は、ペン本体１１の上端側の側面に設けられている。ペン本体１１の上端側の側面には、上下方向に長いガイド溝１１ａが形成されている。ノック部１３は、例えば、使用者の衣類のポケット等に引っ掛ける際に使用されるクリップを兼用していて、上端の裏面側（後側）から後方に延びる連結部１３ａがガイド溝１１ａを貫通して、筒状部材１７に固定されている。
【００３３】
ノック部１３は、上述の圧縮ばね１６により、芯１２、後述する回転芯出し機構１４の回転体１４ｂ、昇降体１４ａ、筒状部材１７を介して、上方に付勢された状態で、図１（Ｃ），図３等に示すホームポジションＰ１に配置されている。また、ノック部１３は、使用者の指による押下動作（ノックダウン）によって、図１（Ｃ）中に二点鎖線で示す押下位置Ｐ２に下降する。また、指を離すと、圧縮ばね１６により、上方に付勢されて押下位置Ｐ２からホームポジションＰ１に復帰動作（ノックアップ）する。
【００３４】
回転芯出し機構１４は、昇降体１４ａと、回転体１４ｂと、ペン本体１１の内周面に形成されて昇降体１４ａの昇降動作をガイドするガイド溝１４ｃとを有している。ガイド溝１４ｃは、深い溝と浅い溝とが周方向に沿って交互に形成されている。なお、回転芯出し機構１４は、一般的なボールペン等に使用されている周知の機構であるのでその詳細についての説明は省略する。
【００３５】
回転芯出し機構１４は、使用者の指によるノック部１３の押下動作に伴い、ノック部１３と一体の筒状部材１７が下降し、圧縮ばね１６が短縮されて昇降体１４ａが下降する。さらに、昇降体１４ａは、回転体１４ｂに回転力を付与しながら下降させるが、回転体１４ｂはガイド溝１４ｃにガイドされている間は回転しない。そして、回転体１４ｂは、ガイド溝１４ｃに沿って下降し、ガイド溝１４ｃの下端から外れると「カチッ」という音とともに回転し、芯１２を介して圧縮ばね１６により上方に付勢されてガイド溝１４ｃに引っかかる。これにより、芯１２は、下キャップ１５の透孔１５ａから下端（先端）を突出させる。
【００３６】
その後、使用者がノック部１３から指を離すと芯１２は突出状態を維持し、また、ノック部１３はホームポジションＰ１に復帰する。回転芯出し機構１４は、同様に、使用者によるノック部１３の次の押下動作により、上述の回転体１４ｂが回転して深いガイド溝１４ｃに入り込むことで芯１２を引っ込めることができる。
【００３７】
なお、筆記部１０としては、上述の回転芯出し機構１４を有するものに限定されるものではなく、ノック部１３の押下動作によって筒状部材１７が下降し、ノック部１３の復帰動作によって筒状部材１７が上昇するものであれば、他の構成のものを使用することが可能である。例えば、ノック部１３を押下動作させると、ノック部１３は下降位置で停止されて、芯１２を出し、その後、ノッチ（不図示）を押すことで、ノック部１３がばねの付勢力でホームポジションに復帰し、同時に筒状部材１７が上昇するような構成のものを採用することもできる。
【００３８】
なお、筆記部１０としては、ボールペン、シャープペンシル、万年筆等を使用することができる。
【００３９】
図１（Ｃ）、図３に示すように、駆動伝達部２０は、筆記部１０のペン本体１１の基端部（上端部）に配設されている。駆動伝達部２０は、ハウジング２１と、下揺動軸２２と、昇降部材２３と、付勢部材としての圧縮ばね２４と、第１変換部材（左変換部材）３１と、第２変換部材（右変換部材）３２とを備えて構成されている。
【００４０】
ハウジング２１は、左右に２つに縦割りされたパーツ２１Ａ，２１Ｂを嵌合させることで構成されている。ハウジング２１は、上から順に箱状のボックス部２１ａ、その下面から下方に延びる大筒状部２１ｂ、この大筒状部２１ｂの下端から下方に延びる小筒状部２１ｃを有している。このうち、ボックス部２１ａは、左右の側壁２１ｄ，２１ｄのそれぞれの内面のほぼ中央に、軸受部２１ｅ，２１ｅが形成されている。また、大筒状部２１ｂと小筒状部２１ｃとの境界における内側には、環状の台座２１ｆが形成されている。この台座２１ｆの上面には、圧縮ばね２４が載せられている。
【００４１】
下揺動軸２２は、水平でかつ左右方向に向けて配設され、その左端と右端とが、上述のボックス部２１ａの軸受部２１ｅ，２１ｅによって支持されている。
【００４２】
昇降部材２３は、上下方向に長い、ほぼ棒状に形成されている。昇降部材２３の下端は上下に長い柱状部２３ａとなっていて、その下端部は、上述の筆記部１０の筒状部材１７の上半部１７ａに上方から嵌合されている。
【００４３】
昇降部材２３の上部には、前後方向の中央に、上下に長く、左右方向に貫通されたガイド孔２３ｂが形成されている。また、ガイド孔２３ｂの前側と後側とには、左右方向に貫通された係合孔２３ｃ，２３ｄが形成されている。これら係合孔２３ｃ，２３ｄは、上下方向寸法に対して、前後方向寸法が少し大きくなるように穿設されている。
【００４４】
昇降部材２３は、下側の柱状部２３ａがハウジング２１の台座２１ｆを上下方向に貫通して、ハウジング２１によって昇降可能に支持され、また、柱状部２３ａの下端部が筆記部１０の筒状部材１７の上半部１７ａに嵌合され、さらに、ガイド孔２３ｂに下揺動軸２２が貫通されている。
【００４５】
付勢部材としての圧縮ばね２４は、昇降部材２３の柱状部２３ａが上方から挿入された状態で、下端がハウジング２１の台座２１ｆに載せられ、上端が昇降部材２３のフランジ部２３ｅに下方から係合されている。圧縮ばね２４は、この状態で、昇降部材２３を上方に付勢している。昇降部材２３は、ガイド孔２３ｂの下端がストッパとして作用する下揺動軸２２に当接することで、上昇限度（最上位の位置）が規制される。
【００４６】
第１変換部材３１は、円板部３１ａとその周縁から外側に向かって延びる棒状部３１ｂとを有している。円板部３１ａの中心には、下揺動軸２２が貫通されていて、第１変換部材３１全体は、この下揺動軸２２を中心にして揺動することができる。円板部３１ａの左面における下揺動軸２２の前側には、第１前側連結部として柱状の凸部３１ｃが突設されている。この凸部３１ｃは、昇降部材２３の前側の係合孔２３ｃに係合されている。また、棒状部３１ｂの先端部には、第１上側連結部としての長孔３１ｄが左右方向に貫通されている。この長孔３１ｄは、下揺動軸２２に対して上側に位置している。この長孔３１ｄには、ピン４８が貫通されている。上述の凸部３１ｃと下揺動軸２２と長孔３１ｄとは、「Ｌ」字形に配置されている。このため、下揺動軸２２を中心として、凸部３１ｃが上下方向に揺動すると、長孔３１ｄは、前後方向に揺動するようになっている。
【００４７】
第２変換部材３２は、円板部３２ａとその周縁から外側に向かって延びる棒状部３２ｂとを有している。円板部３２ａの中心には、下揺動軸２２が貫通されていて、第２変換部材３２全体は、この下揺動軸２２を中心にして揺動することができる。円板部３２ａの右面における下揺動軸２２の後側には、第２後側連結部として柱状の凸部３２ｃが突設されている。この凸部３２ｃは、昇降部材２３の後側の係合孔２３ｄに係合されている。また、棒状部３２ｂの先端部には、第２上側連結部としての長孔３２ｄが左右方向に貫通されている。この長孔３２ｄは、下揺動軸２２に対して上側に位置している。この長孔３２ｄには、ピン４９が貫通されている。上述の凸部３２ｃと下揺動軸２２と長孔３２ｄとは、「Ｌ」字形に配置されている。このため、下揺動軸２２を中心として、凸部３２ｃが上下方向に揺動すると、長孔３２ｄは、前後方向に揺動するようになっている。
【００４８】
キャラクタ４０は、第１脚部（左脚部）４１と、第２脚部（右脚部）４２と、胴部４３とを有している。
【００４９】
このうち胴部４３は、前後に２つに縦割りされたパーツ４３Ａ，４３Ｂを嵌合させることで形成されている。胴部４３の上端には頭部４４が一体に形成されている。胴部４３の左端側と右端側における上部には、透孔４３ａ，４３ｂが穿設されていて、ここには、左腕部４５、右腕部４６が揺動可能に係合されている。また、胴部４３における下端の左側と右側には、第１脚部４１，４２の上端側が貫通する、前後方向に長い長孔４３ｃ，４３ｄが設けられている。
【００５０】
胴部４３には、支持部材４７が一体的に設けられている。支持部材４７は、上下に延びる柱状部４７ｃを有している。柱状部４７ｃの下端には、左右に延びる上揺動軸としての小径部４７ａ，４７ａが形成され、この小径部４７ａ，４７ａの左右両端には大径部４７ｂ，４７ｂが形成されている。柱状部４７ｃの上端には、前後に貫通する透孔４７ｄを有する環状部４７ｅが形成されている。透孔４７ｄには、パーツ４３Ａの嵌合凸部（不図示）が貫通された後、パーツ４３Ｂの嵌合凹部４３ｅに嵌合されている。支持部材４７は、これにより、胴部４３によって支持されている。
【００５１】
支持部材４７は、小径部４７ａ，４７ａを介して、次に説明する第１脚部４１、第２脚部４２を揺動自在に支持している。
【００５２】
第１脚部４１は、前後に２つに縦割りされたパーツ４１Ａ，４１Ｂによって構成されている。第１脚部４１は、上端の前後方向の中心に透孔４１ａを有している。第１脚部４１は、この透孔４１ａに上述の支持部材４７の小径部４７ａが貫通されることで、前後方向に揺動可能に支持されている。また、パーツ４１Ａ，４１Ｂの合わせ面における下部には、左右に一対のピン受４１ｂ，４１ｂが形成されていて、左右方向に向けてピン４８を支持している。このピン４８は、上述の第１変換部材３１の長孔３１ｄを左右方向に貫通している。
【００５３】
第２脚部４２は、前後に２つに縦割りされたパーツ４２Ａ，４２Ｂによって構成されている。第２脚部４２は、上端の前後方向の中心に透孔４２ａを有している。第２脚部４２は、この透孔４２ａに上述の支持部材４７の小径部４７ａが貫通されることで、前後方向に揺動可能に支持されている。また、パーツ４２Ａ，４２Ｂの合わせ面における下部には、左右に一対のピン受４２ｂ，４２ｂが形成されていて、左右方向に向けてピン４９を支持している。このピン４９は、上述の第２変換部材３２の長孔３２ｄを左右方向に貫通している。
【００５４】
なお、以上説明したキャラクタ４０において、支持部材４７は、筆記部１０のペン本体１１や駆動伝達部２０のハウジング２１に対して、位置が固定されているものではなく、第１脚部４１及び第２脚部４２によって小径部４７ａが下方から支持される構造となっている。
【００５５】
上述のアクションペン１は、図１（Ａ）〜（Ｃ）に示すように、ノック部１３がホームポジションＰ１に配置された状態では、昇降部材２３は、圧縮ばね２４によって上方に付勢され、ガイド孔２３ｂの下端を下揺動軸２２に当接された状態で停止されている。
【００５６】
このとき第１変換部材３１は、昇降部材２３の前側の係合孔２３ｃに係合されている凸部３１ｃが下揺動軸２２の前側の斜め上方に位置している。これに伴い、第１変換部材３１の長孔３１ｄは、下揺動軸２２に対して後側の斜め上方に位置している。これにより、第１脚部４１は、揺動範囲中の最後端に配置されている。
【００５７】
同じく、このとき、第２変換部材３２は、昇降部材２３の後側の係合孔２３ｄに係合されている凸部３２ｃが下揺動軸２２の後側の斜め上方に位置している。これに伴い、第２変換部材３２の長孔３２ｄは、下揺動軸２２に対して前側の斜め上方に位置している。これにより、第２脚部４２は、揺動範囲中の最前端に配置されている。
【００５８】
なお、以下で説明するように、ノック部１３の下降・上昇に対応して、昇降部材２３が下降・上昇し、これにより、図１（Ｃ）に示す第１変換部材３１の凸部３１ｃと第２変換部材３２の凸部３２ｃとは、下揺動軸２２を中心にほぼ上下方向に揺動するが、上述のように、これら凸部３１ｃ，３２ｃが係合している相手の昇降部材２３の係合孔２３ｃ，２３ｄが前後方向に長く形成されているので、この揺動動作が許容されるようになっている。
【００５９】
また、第１変換部材３１、第２変換部材３２は、凸部３１ｃ、３２ｃの上下方向の揺動に伴って、長孔３１ｄ，３２ｄがほぼ前後方向に揺動して、第１脚部４１、第２脚部４２をほぼ前後方向に揺動させることになるが、これら上下に長く形成された長孔３１ｄ，３２ｄに第１脚部４１、第２脚部４２のピン４８，４９が係合されているので、これら第１脚部４１、第２脚部４２の前後方向の揺動動作が支障なく行われることになる
【００６０】
次に、上述構成のアクションペン１の動作（作用）について説明する。
使用者は、アクションペン１を筆記に供する際、ホームポジションＰ１に配置されているノック部１３を押下し、その後、ノック部１３から指を離す。この一連の動作により、ノック部１３は、ホームポジションＰ１から押下位置Ｐ２に下降し、その後、押下位置Ｐ２からホームポジションＰ１に上昇する。このノック部１３の下降・上昇により、ペン本体１１の先端から芯１２が突出されて、筆記が可能となる。なお、筆記後には、使用者によるノック部１３の次の下降・上昇により、芯１２は引っ込んでペン本体１１内に収納される。
【００６１】
アクション部４０では、上述のノック部１３のホームポジションＰ１から押圧位置Ｐ２への下降に対応して、第１脚部４１が最後端から前方に揺動して最前端に至り、同時に、第２脚部４２が最前端から後方に揺動して最後端に至る。
【００６２】
すなわち、ノック部１３の下降に伴い、昇降部材２３が圧縮ばね２４の付勢力に抗して下降し、これにより、第１変換部材３１の長孔３１ｄが前方に揺動して、第１脚部４１を前方に揺動させる。同時に、第２変換部材３２の長孔３２ｄが後方に揺動して、第２脚部４１を後方に揺動させる。
【００６３】
また、アクション部４０では、上述のノック部１３の押圧位置Ｐ２からホームポジションＰ１への上昇に対応して、第１脚部４１が最前端から後方に揺動して最後端に至り、同時に、第２脚部４２が最後端から前方に揺動して最前端に至る。
【００６４】
すなわち、ノック部１３の上昇に伴い、昇降部材２３が上昇し、これにより、第１変換部材３１の長孔３１ｄが後方に揺動して、第１脚部４１を後方に揺動させる。同時に、第２変換部材３２の長孔３２ｄが前方に揺動して、第２脚部４１を前方に揺動させる。
【００６５】
以上説明したように、アクションペン１は、ノック部１３の下降に連動して、第１脚部４１、第２脚部４２がそれぞれ前方、後方へと逆方向に揺動する。また、ノック部１３の上昇に連動して、第１脚部４１、第２脚部４２がそれぞれ後方、前方へと逆方向に揺動する。こうして、使用者によるノック部１３の昇降により、キャラクタ４０の歩行動作を発生させることができる。
【００６６】
以上説明したアクションペン１によると、以下のような効果を奏することができる。
（１）簡単な構成でありながら、使用者にとって、ノック部１３の上下方向の昇降からは連想し難い、第１脚部４１、第２脚部４２の前後方向の歩行動作を実現できるので、趣向性、意外性の高いものとなる。
（２）昇降部材１３の昇降に伴って、第１脚部４１と第２脚部４２のうちの一方を前向きに、また他方を後ろ向きに揺動させることができるので、実際の人の歩行に、より近い歩行動作をさせることができる。
（３）ノック部１３の昇降を第１脚部４１、第２脚部４２の前後方向の揺動に変換するメカニズムである昇降部材２３と第１変換部材３１と第２変換部材３２とがハウジング２１に収納されていて、使用者はこれを外部から視認することができないため、使用者にはキャラクタ４０が歩行動作をするからくりが分からない。このため、一層、興趣性、意外性を増す。
（４）ノック部１３の昇降に伴う昇降部材２３の昇降を、簡単な構成の第１変換部材３１と第２変換部材３２の揺動により、第１脚部４１、第２脚部４２の反対方向の揺動として伝達することができる。
（５）第１変換部材３１と第２変換部材３２とは、それぞれの凸部３１ｃ，３２ｃとが下揺動軸２２に対して前後の反対方向に配置されているため、例えば、第１変換部材３１と第２変換部材３２のうちの一方の左右方向を反転して（軸心Ｃに対して１８０度回転させて）配置することにより、同一の部材で構成することが可能である。このため、別構成である場合と比較して、部品点数を少なくすることができる。
（６）ノック部１３のホームポジションＰ１から押下位置Ｐ２への下降により、第１脚部４１は最後端から最前端に揺動するとともに第２脚部４２は最前端から最後端に揺動し、また、ノック部１３の押下位置Ｐ２からホームポジションＰ１への上昇により、第１脚部４１は最前端から最後端に揺動するとともに第２脚部４２は最後端から最前端に揺動する。すなわち、キャラクタ４０は、使用者によるノック部１３の下降により１歩、歩を進め、ノック部１３の上昇により次の１歩を進める。つまり、歩行動作が、使用者が力を入れたり抜いたりする動作に対応するため、使用者にとっては、自分がキャラクタ４０を歩行させているという感触を得ることができるので興趣性を増す。
（７）支持部材４７は、配設位置が固定されているのではなく、第１脚部４１と第２脚部４２とによって小径部４７ａ，４７ａを介して支持されているため、上下方向に移動することが可能である。このため、例えば、第１変換部材３１、第２変換部材３２の長孔３１ｄ，３２ｄの長手方向の長さを短く設定することにより、これら長孔３１ｄ，３２ｄが前後方向に揺動して支持部材４７の下方を通過する際に、支持部材４７を上方に押し上げるようにすることが可能である。この場合には、人が実際に歩行する際の、胴部の上下動をまねることができるので、一層、興趣を高めることができる。さらに、胴部４３がこの支持部材４７によって揺動可能に支持されているので、胴部４３に前傾姿勢や後傾姿勢をとらせることも可能である。
【符号の説明】
【００６７】
１    アクションペン
１０    筆記部
１１    ペン本体
１２    芯
１３    ノック部
２０    駆動伝達部
２１    ハウジング
２２    下揺動軸
２３    昇降部材
２４    圧縮ばね（付勢部材）
３１    第１変換部材
３１ｃ  凸部（第１前側連結部）
３１ｄ  長孔（第１上側連結部）
３２    第２変換部材
３２ｃ  凸部（第２後側連結部）
３２ｄ  長孔（第２上側連結部）
４０    キャラクタ
４１    第１脚部
４２    第２脚部
４３    胴部
４７ａ  小径部（上揺動軸）
Ｐ１    ホームポジション
Ｐ２    押下位置
【図１】
2014180820.tif 000003
【図２】
2014180820.tif 000004
【図３】
2014180820.tif 000005
【図４】
2014180820.tif 000006